(57)【要約】【課題】既存記録情報の消去又は劣化を抑制し、信頼性の向上した磁気記録ヘッドおよびこれを備えたディスク装置を提供する。【解決手段】実施形態によれば、磁気記録ヘッドは、空気支持面４３と、空気支持面に露出する先端部を有し、記録磁界を発生する主磁極６０と、ヘッド走行方向に第１ギャップを挟んで主磁極の先端部に対向する第１シールド６２と、それぞれ第２ギャップを挟んで、主磁極の幅方向の両側に配置された第２シールド７４と、を備えている。第２シールドの各々は、第２ギャップを挟んで主磁極の先端部に対向する第１側面７６ｃと、主磁極の先端部から離間する側に位置する第２側面７６ｄとを有し、第２側面７６ｄは、空気支持面から、この空気支持面から離間する方向に向かうに従い主磁極側へ傾斜している。【選択図】図５
2016219070.tif 000002
【特許請求の範囲】
【請求項１】
空気支持面と、
前記空気支持面に露出する先端部を有し、記録磁界を発生する主磁極と、
ヘッド走行方向に第１ギャップを挟んで前記主磁極の先端部に対向する第１シールドと、
それぞれ第２ギャップを挟んで、前記主磁極の幅方向の両側に配置された第２シールドと、を備え、
前記第２シールドの各々は、前記第２ギャップを挟んで前記主磁極の先端部に対向する第１側面と、前記主磁極の先端部から離間する側に位置する第２側面とを有し、前記第２側面は、前記空気支持面から、この空気支持面から離間する方向に向かうに従い前記主磁極側へ傾斜している磁気記録ヘッド。
【請求項２】
前記第２シールドの各々は、前記空気支持面に露出する第１面と、前記第１面と間隔を置いて対向する第２面と、を備え、前記第１側面は前記第１面の前記主磁極側の端縁から前記第２面の主磁極側端縁まで延び、前記第２側面は前記第１面の前記主磁極と反対側の他端縁から前記第２面の他端縁まで前記主磁極側に傾斜して延びる、請求項１に記載の磁気記録ヘッド。
【請求項３】
前記空気支持面に対する前記第２側面の傾斜角は、１２〜６０degの範囲に形成されている請求項１または２に記載の磁気記録ヘッド。
【請求項４】
前記第１側面は、前記空気支持面から、前記空気支持面から離間する方向に向かうに従い前記主磁極から離れる方向に傾斜している請求項１ないし３のいずれか１項に記載の磁気記録ヘッド。
【請求項５】
前記空気支持面に対する前記第１側面の傾斜角は、前記空気支持面に対する前記第２側面の傾斜角と同一か、あるいはそれよりも大きい請求項１ないし４のいずれか１項に記載の磁気記録ヘッド。
【請求項６】
媒体面に対して垂直方向に磁気異方性を有する記録層を有する記録媒体と、
前記記録媒体に対して情報のライトを行う請求項１ないし５のいずれか１項に記載の磁気記録ヘッドと、
を備えるディスク装置。
【発明の詳細な説明】
【技術分野】
【０００１】
ここで述べる実施形態は、ディスク装置に用いる磁気記録ヘッド、およびこの磁気記録ヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、を備えている。磁気ヘッドは、ライト用の記録ヘッドとリード用のリードヘッドとを含んでいる。
【０００３】
近年、磁気ディスク装置の高記録密度化、大容量化あるいは小型化を図るため、垂直磁気記録用の磁気ヘッドが提案されている。このような磁気ヘッドにおいて、記録ヘッドは、磁気ディスクの記録面に対して垂直方向の磁界を発生する主磁極と、主磁極にライトギャップを挟んで対向配置されたライトシールド磁極と、を有している。更に、主磁極からの戻り磁界による記録データの劣化を低減するため、主磁極の幅方向の両側にサイドシールドを設けたヘッドが提案されている。
【先行技術文献】
【特許文献】
【０００４】
【特許文献１】特開２００９−４８７１９号公報
【特許文献２】米国特許第８，４３２，６３９号明細書
【発明の概要】
【発明が解決しようとする課題】
【０００５】
このようなサイドシールドを有する記録ヘッドは、主磁極から幅方向への磁界漏れを抑制し、イレーズ幅の増大防止が期待される。しかし、主磁極と、磁気ディスクの記録層と、サイドシールドと、に流れる磁束により、サイドシールド内の一部の磁化が記録層に対して垂直方向に向くことがある。そのため、同一トラック上に記録動作を繰り返し行う際に、数十トラックに渡る幅をもつサイドシールド直下から発生する磁界により、この数十トラックに渡る広い領域において既記録情報が消去または劣化する場合がある。
【０００６】
この発明が解決しようとする課題は、既存記録情報の消去又は劣化を抑制し、信頼性をより向上した磁気記録ヘッドおよびこれを備えたディスク装置を提供することにある。
【課題を解決するための手段】
【０００７】
実施形態によれば、磁気記録ヘッドは、空気支持面と、前記空気支持面に露出する先端部を有し、記録磁界を発生する主磁極と、ヘッド走行方向に第１ギャップを挟んで前記主磁極の先端部に対向する第１シールドと、それぞれ第２ギャップを挟んで、前記主磁極の幅方向の両側に配置された第２シールドと、を備えている。第２シールドの各々は、前記第２ギャップを挟んで前記主磁極の先端部に対向する第１側面と、前記主磁極の先端部から離間する側に位置する第２側面とを有し、前記第２側面は、前記空気支持面から、この空気支持面から離間する方向に向かうに従い前記主磁極側へ傾斜している。
【図面の簡単な説明】
【０００８】
【図１】図１は、第１の実施形態に係るハードディスクドライブ（以下、ＨＤＤ）を示す斜視図。
【図２】図２は、前記ＨＤＤにおける磁気ヘッドおよびサスペンションを示す側面図。
【図３】図３は、前記磁気ヘッドのヘッド部および磁気ディスクを拡大して示す断面図。
【図４】図４は、前記磁気ヘッドの記録ヘッドを模式的に示す斜視図。
【図５】図５は、前記記録ヘッドの空気支持面（ＡＢＳ）側端部をスライダのリーディング端側から見た側面図。
【図６】図６は、前記記録ヘッドを空気支持面側から見た平面図。
【図７】図７は、比較例に係る記録ヘッド（代表的なサイドシールド付きの記録ヘッド）および本実施形態に係る複数の記録ヘッドについて、トラック幅方向の記録磁界分布を比較して示す図。
【図８】図８は、トラック幅方向位置＋３μｍ（サイドシールドの主磁極と反対側の端縁に対応する位置）における磁界強度とサイドシールドの側面の傾斜角θ２との関係をプロットした図。
【図９】図９は、本実施形態に係る３つの記録ヘッド（θ２＝２０deg,１２deg,５deg）について、トラック幅方向の記録磁界分布を比較して示す図。
【発明を実施するための形態】
【０００９】
以下図面を参照しながら、種々の実施形態について説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、第１の実施形態に係るＨＤＤのトップカバーを取り外した内部構造を示し、図２は、浮上状態の磁気ヘッド３３を示している。図１に示すように、ＨＤＤは筐体１０を備えている。この筐体１０は、上面の開口した矩形箱状のベース１０ａと、ベース１０ａの上面に対応した図示しない矩形板状のトップカバーとを備えている。筐体１０内部は気密に保持され、例えば呼吸フィルター２６を通してのみ、外部と通気可能となっている。
【００１１】
ベース１０ａ上には、記録媒体としての磁気ディスク１２および機構部が設けられている。機構部は、磁気ディスク１２を支持および回転させるスピンドルモータ１３、磁気ディスク１２に対して情報の記録、再生を行なう複数、例えば、２つの磁気ヘッド３３、これらの磁気ヘッド３３を磁気ディスク１２の表面に対して移動自在に支持したキャリッジアッセンブリ１４、このキャリッジアッセンブリ１４を回動および位置決めするボイスコイルモータ（以下ＶＣＭと称する）１６を備えている。また、ベース１０ａ上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、キャリッジアッセンブリ１４を退避位置に保持するラッチ機構２０、および変換コネクタ３７等の電子部品が実装された基板ユニット１７が設けられている。
【００１２】
ベース１０ａの外面には、制御回路基板２５がねじ止めされ、ベース１０ａの底壁と対向して位置している。制御回路基板２５は、スピンドルモータ１３の動作を制御するとともに、基板ユニット１７を介してＶＣＭ１６、および磁気ヘッド３３の動作を制御する。
【００１３】
図１に示すように、磁気ディスク１２は、スピンドルモータ１３のハブに互いに同軸的に嵌合されているとともにハブの上端にねじ止めされたクランプばね１５によりクランプされ、ハブに固定されている。磁気ディスク１２は、駆動モータとしてのスピンドルモータ１３により所定の速度で矢印Ｂ方向に回転される。
【００１４】
キャリッジアッセンブリ１４は、ベース１０ａの底壁上に固定された軸受部２１と、軸受部２１から延出した複数のアーム２７と、アーム２７から延出する板状の複数のサスペンション３０と、を備えている。各サスペンション３０は、板ばねにより構成され、その基端がスポット溶接あるいは接着によりアーム２７の先端に固定されている。各サスペンション３０は対応する各アーム２７と一体に形成されていてもよい。各サスペンション３０の延出端に磁気ヘッド３３が支持されている。アーム２７およびサスペンション３０によりサスペンションアッセンブリを構成し、このサスペンションアッセンブリと磁気ヘッド３３とによりヘッドサスペンションアッセンブリが構成される。
【００１５】
図２に示すように、各磁気ヘッド３３は、ほぼ直方体形状のスライダ４２と、このスライダ４２の流出端（トレーリング端）に設けられたリードライト用のヘッド部４４と、を有している。磁気ヘッド３３は、サスペンション３０の先端部に設けられたジンバルばね４１に固定されている。複数（例えば２本）のアーム２７（図１を参照）は所定の間隔を置いて互いに平行に位置し、これらのアーム２７に取り付けられたサスペンション３０および磁気ヘッド３３は、磁気ディスク１２を間に挟んで互いに対向可能である。各磁気ヘッド３３は、サスペンション３０およびアーム２７上に固定された配線部材３５を介して、基板ユニット１７から延出する中継ＦＰＣ３８に電気的に接続されている。
【００１６】
磁気ディスク１２が回転した状態でＶＣＭ１６のボイスコイルに通電することにより、キャリッジアッセンブリ１４が回動し、磁気ヘッド３３は磁気ディスク１２の所望のトラック上に移動および位置決めされる。この際、磁気ヘッド３３は、磁気ディスク１２の径方向に沿って、磁気ディスク１２の内周縁部と外周縁部との間を移動される。
【００１７】
次に、磁気ディスク１２および磁気ヘッド３３の構成について詳細に説明する。図３は、磁気ヘッド３３のヘッド部４４および磁気ディスク１２を拡大して示す断面図である。
【００１８】
図１ないし図３に示すように、磁気ディスク１２は、例えば、直径６５ｍｍ（２．５インチ）の円盤状に形成された非磁性体からなる基板１０１を有している。基板１０１の両表面には、下地層として軟磁気特性を示す材料からなる軟磁性層１０２と、その上層部に、磁気ディスク１２の表面に対して垂直方向に磁気異方性を有する記録層１０３と、その上層部に保護膜層１０４が順に積層されている。
【００１９】
図２および図３に示すように、磁気ヘッド３３は浮上型のヘッドとして構成され、ほぼ直方体状に形成されたスライダ４２と、スライダ４２の流出端側の端部（トレーリング端）４２ｂに形成されたヘッド部４４とを有している。スライダ４２は、例えば、アルミナとチタンカーバイドの焼結体（アルチック）で形成され、ヘッド部４４は薄膜を積層することにより形成されている。
【００２０】
スライダ４２は、磁気ディスク１２の表面に対向する矩形状の空気支持面（ＡＢＳ）４３を有している。スライダ４２は、磁気ディスク１２の回転によって磁気ディスク１２の表面とＡＢＳ４３との間に生じる空気流Ｃにより浮上する。空気流Ｃの方向は、磁気ディスク１２の回転方向Ｂと一致している。スライダ４２は、磁気ディスク１２の表面に対し、ＡＢＳ４３の長手方向が空気流Ｃの方向とほぼ一致するように配置されている。
【００２１】
スライダ４２は、空気流Ｃの流入側に位置するリーディング端４２ａおよび空気流Ｃの流出側に位置するトレーリング端４２ｂを有している。スライダ４２のＡＢＳ４３には、図示しないリーディングステップ、トレーリングステップ、サイドステップ、負圧キャビティ等が形成されている。
【００２２】
図３に示すように、ヘッド部４４は、スライダ４２のトレーリング端４２ｂに薄膜プロセスで形成されたリードヘッド５４および記録ヘッド（磁気記録ヘッド）５８を有し、分離型のヘッドとして形成されている。リードヘッド５４および記録ヘッド５８は、スライダ４２のＡＢＳ４３に露出する部分を除いて、非磁性の保護絶縁膜８１により覆われている。保護絶縁膜８１は、ヘッド部４４の外形を構成している。
【００２３】
リードヘッド５４は、磁気抵抗効果を示す磁性膜５５と、この磁性膜のトレーリング側およびリーディング側に磁性膜５５を挟むように配置されたシールド膜５６、５７と、で構成されている。これら磁性膜５５、シールド膜５６、５７の下端は、スライダ４２のＡＢＳ４３に露出している。
【００２４】
記録ヘッド５８は、リードヘッド５４に対して、スライダ４２のトレーリング端４２ｂ側に設けられている。図４は、記録ヘッドおよび磁気ディスクを模式的に示す斜視図、図５は、記録ヘッドのＡＢＳ側端部をスライダのリーディング端側から見た側面図、図６は、記録ヘッド部分をＡＢＳ側から見た平面図である。
【００２５】
図３および図４に示すように、記録ヘッド５８は、磁気ディスク１２の表面に対して（記録層１０３に対して）垂直方向の記録磁界を発生させる高透磁率、高飽和磁束密度を有する軟磁性材料からなる主磁極６０と、主磁極６０のトレーリング側（ヘッド走行方向）にライトギャップＷＧ（第１ギャップ）を置いて配置され、主磁極６０直下の磁気ディスク１２の軟磁性層１０２を介して効率的に磁路を閉じるために設けられた軟磁性材料からなるライトシールド磁極（トレーリングシールド）６２と、主磁極６０の上部をライトシールド磁極６２に物理的に接合する接合部６７と、磁気ディスク１２に信号を書き込む際、主磁極６０に磁束を流すために主磁極６０およびライトシールド磁極６２を含む磁気コアに巻きつくように配置された記録コイル７０と、を有している。記録ヘッド５８は、更に、主磁極６０のトラック幅方向両側に主磁極６０とＡＢＳ４３上では磁気的に分断されて（第２ギャップを挟んで）配置された軟磁性材料からなる一対のサイドシールド７４を有している。
【００２６】
記録コイル７０は、例えば、主磁極６０とライトシールド磁極６２との間で、接合部６７の回りに巻付けられている。図示しないライトアンプから記録コイル７０に供給する電流は、ＨＤＤの制御回路基板（制御部）２５によって制御される。磁気ディスク１２に信号を書き込む際、ライトアンプから記録コイル７０に所定の電流が供給され、主磁極６０に磁束を流し磁界を発生させる。
【００２７】
図３ないし図６に示すように、主磁極６０は、磁気ディスク１２の表面に対してほぼ垂直に延びている。主磁極６０の磁気ディスク１２側の先端部６０ａは、ＡＢＳ４３および磁気ディスク１２の表面に向かって先細に絞り込まれ、他の部分に対して幅の狭い柱状に形成されている。主磁極６０の先端面は、スライダ４２のＡＢＳ４３に露出している。主磁極６０の先端部６０ａの幅（トラック幅方向ＴＷに沿った幅）Ｗ１は、磁気ディスク１２におけるトラックの幅にほぼ対応している。
【００２８】
ライトシールド磁極６２は、ほぼＬ字形状に形成され、その先端部６２ａは、細長い矩形状に形成されている。ライトシールド磁極６２の先端面は、スライダ４２のＡＢＳ４３に露出している。ライトシールド磁極６２の先端部６２ａは、主磁極６０の先端部６０ａに対向するリーディング側端面（磁極端面）６２ｂを有している。このリーディング側端面６２ｂは、主磁極６０の先端部６０ａの幅Ｗ１、および、磁気ディスク１２のトラック幅、よりも充分に長く、磁気ディスク１２のトラックの幅方向ＴＷに沿って延びている。リーディング側端面６２ｂは、磁気ディスク１２の記録層１０３およびスライダのＡＢＳ４３に対してほぼ垂直に延びている。ＡＢＳ４３において、リーディング側端面６２ｂの下端縁は、主磁極６０のトレーリング側端面６０ｂとライトギャップＷＧを置いて平行に対向している。
【００２９】
図４ないし図６に示すように、主磁極６０の先端部６０ａのトラック幅方向の両側に設けられた一対のサイドシールド７４は、高透磁率材料により、ライトシールド磁極６２の先端部６２ａと一体に形成され、先端部６２ａのリーディング側端面６２ｂからスライダ４２のリーディング端側に向かって突出している。各サイドシールド７４は、ライトシールド磁極６２のリーディング側端面６２ｂから、主磁極６０のリーディング側端面６０ｃを越える幅あるいは厚さに形成されている。
【００３０】
各サイドシールド７４は、ＡＢＳ４３に露出するほぼ矩形状の底面（第１面）７６ａと、ＡＢＳ４３から高さ方向奥側（ＡＢＳから離れる方向）に長さＳＴＨだけ離間し底面７６ａとほぼ平行に対向する上面（第２面）７６ｂと、主磁極６０の先端部６０ａに第２ギャップを挟んで対向する第１側面７６ｃと、主磁極６０と反対側に位置する第２側面７６ｄと、を有している。底面７６ａの主磁極側の端は、主磁極６０とギャップを置いて対向している。上面７６ｂのトラック幅方向に沿った長さＳＳＷ２は、例えば、底面７６ａのトラック幅方向に沿った長さＳＳＷ１の１／２以下に形成されていてもよい。
【００３１】
各サイドシールド７４の第１側面７６ｃは、底面７６ａの主磁極側端から上面７６ｂの主磁極側端まで、ハイト方向奥側に向うに従い、主磁極６０から遠ざかるように、すなわち、主磁極との間隔が広がるように、傾斜角θ１だけ傾斜している。
【００３２】
各サイドシールド７４の第２側面７６ｄは、底面７６ａの他端、すなわち、主磁極６０と反対側の端から上面７６ｂの他端まで、ハイト方向奥側に向うに従い、主磁極６０に近付くように、傾斜角θ２だけ傾斜している。ＡＢＳ４３に対する傾斜角θ２は、８５deg以下に設定され、望ましくは、１２〜６０degに設定される。長さＳＴＨは、ライトシールド磁極６２のリーディング側端面６２ｂの高さあるいは幅と同等以上の高さあるいは幅で形成されている。
【００３３】
傾斜角θ２は、傾斜角θ１と同一（θ２＝θ１）に形成されるが、θ２＜θ１としてもよい。これにより、各サイドシールド７４は、スライダのリーディング端側から見た形状、すなわち、サイドシールド７４の膜面製膜方向の形状、又は、ＡＢＳ４３およびヘッド走行方向Ｄと直交する断面の形状、が台形形状となっている。
【００３４】
以上のように構成されたＨＤＤによれば、ＶＣＭ１６を駆動することにより、キャリッジアッセンブリ１４が回動し、磁気ヘッド３３は、磁気ディスク１２の所望のトラック上に移動され、位置決めされる。また、磁気ヘッド３３は、磁気ディスク１２の回転によって磁気ディスク１２の表面とＡＢＳ４３との間に生じる空気流Ｃにより浮上する。ＨＤＤの動作時、スライダ４２のＡＢＳ４３は磁気ディスク１２の表面に対し隙間を保って対向している。この状態で、磁気ディスク１２に対して、リードヘッド５４により記録情報の読み出しを行うとともに、記録ヘッド５８により情報の書き込みを行う。
【００３５】
情報の書き込みにおいては、記録コイル７０により主磁極６０を励磁し、この主磁極６０から直下の磁気ディスク１２の記録層１０３に垂直方向の記録磁界を印加することにより、所望のトラック幅にて情報を記録する。図５に矢印で示すように、情報記録の際、各サイドシールド７４の内部の磁区は還流磁区を形成する。そのため、サイドシールド７４では記録層１０３に対して面内方向（記録層１０３と平行な方向）に磁化の向きが確立される。その結果、サイドシールド７４から記録層１０３に対して既記録情報を消去または劣化させる磁界の印加を抑制することが可能となる。
【００３６】
図７は、比較例に係る記録ヘッド（代表的なサイドシールド付きの記録ヘッド）および本実施形態に係る記録ヘッド５８について、トラック幅方向の記録磁界分布のプロファイルを比較して示している。本実施形態に係る記録ヘッド５８については、サイドシールド７４の第２側面７６ｄの傾斜角θ２が１２deg、２０deg、３４degの３つ実施例を示している。
【００３７】
図７において、トラック幅方向位置＝０の位置は、記録ヘッド５８の主磁極６０のトラック幅方向中心位置である。トラック幅方向位置＋３μｍ（サイドシールド７４の主磁極と反対側の端縁７４ｂ）において磁界強度が増大していることが分かる。比較例の記録ヘッドでは８０００［Ｏｅ］程度の漏れ磁界が記録媒体に加わることになる。記録層１０３の保磁力が例えば、６０００［Ｏｅ］の記録媒体を用いた場合、比較例の記録ヘッドでは、既記録信号が消去される可能性がある。  
これに対して、本実施形態の記録ヘッド５８では、いずれの実施例でも端縁７４ｂにおける磁界強度が４０００［Ｏｅ］程度に抑えられていることが分かる。従って、本実施形態に係る記録ヘッド５８を用いることにより、隣接トラックの既記録情報の消去または劣化を抑えることができ、長期データ保存が可能で信頼性の向上に有効であるといえる。
【００３８】
図８は、トラック幅方向位置＋３μｍ（サイドシールド７４の主磁極と反対側の端縁７４ｂ）における磁界強度とサイドシールド７４の傾斜角θ２との関係をプロットした図である。前述した比較例に係る磁気ヘッドの傾斜角θ２は、θ２＝９０degに相当する。傾斜角θ２が小さくなる程、サイドシールド７４の端縁７４ｂにおける磁界強度は小さくなる傾向にある。記録層の保磁力が例えば、６０００［Ｏｅ］の磁気ディスクを用いた場合、θ２＜６０degの範囲であればサイドシールドの磁界強度は６０００［Ｏｅ］より小さいため、既記録信号の消去を抑えることができる。
【００３９】
図９は、本実施形態に係る３つの実施例の記録ヘッド５８（θ２＝２０deg,１２deg,５deg）について、トラック幅方向の記録磁界分布を比較して示している。θ２＝５degでは、トラック幅方向位置＋１００〜２００ｎｍの範囲で磁界強度がプラスに転じている。これはサイドシールド７４が磁気的に飽和していることを示し、シールドとして機能しないことを意味している。従って、サイドシールド７４の第２側面７６ｄの傾斜角θ２は、１２deg＜θ２＜６０degの範囲が好ましい。また、ＳＳＷ２の大きさは、ＳＳＷ２＞０であることが望ましい。
【００４０】
以上のことから、本実施形態に係る磁気記録ヘッドおよびＨＤＤによれば、磁気ディスク１２のオントラック信号品質を維持したまま、磁気ディスク１２上の数十トラックに渡る広い隣接トラック領域における既記録情報を消去または劣化させる磁界を抑制することができる。これにより、長期データ保存が可能であり、信頼性が向上した磁気記録ヘッドおよびＨＤＤを提供することができる。
【００４１】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４２】
例えば、ヘッド部を構成する要素の材料、形状、大きさ等は、必要に応じて変更可能である。また、磁気ディスク装置において、磁気ディスクおよび磁気記録ヘッドの数は、必要に応じて増加可能であり、磁気ディスクのサイズも種々選択可能である。
【符号の説明】
【００４３】
１０…筺体、１０ａ…ベース、１２…磁気ディスク、１３…スピンドルモータ、  
１４…キャリッジアッセンブリ、２５…制御回路基板、４２…スライダ、  
４３…空気支持面（ＡＢＳ）、４４…ヘッド部、５４…リードヘッド、  
５８…記録ヘッド、６０…主磁極、６０ａ…先端部、６２…ライトシールド磁極、  
６２ａ…先端部、６２ｂ…リーディング側端面、７０…記録コイル、  
７４…サイドシールド、７６ａ…底面、７６ｂ…上面、７６ｃ…第１側面、  
７６ｄ…第２側面
【図１】
2016219070.tif 000003
【図２】
2016219070.tif 000004
【図３】
2016219070.tif 000005
【図４】
2016219070.tif 000006
【図５】
2016219070.tif 000007
【図６】
2016219070.tif 000008
【図７】
2016219070.tif 000009
【図８】
2016219070.tif 000010
【図９】
2016219070.tif 000011